(57)【要約】【課題】  隣り合うキートップの間に互いのランナー部を配置せざるをえない場合、高集積なキートップの配列が困難である。【解決手段】  隣り合う第１キーユニットと第２キーユニットを含む複数のキーユニットが配列された操作装置であって、前記第１キーユニットは第１キートップと前記第１キートップから延びた第１ランナー部を含み、前記第２キーユニットは第２キートップと前記第２キートップから延びた第２ランナー部を含み、前記第１ランナー部の端部を支持する第１支持部と、前記第２ランナー部の端部を支持する第２支持部とが、前記第１キートップと前記第２キートップの間に設けられており、前記第１支持部と前記第２支持部とは共通化されている、もしくは、前記第１支持部は前記第２キートップと前記第２支持部の間に位置し且つ前記第２支持部は前記第１キートップと前記第１支持部の間に位置している。【選択図】  図４
2015022904.tif 000002
【特許請求の範囲】
【請求項１】
隣り合う第１キーユニットと第２キーユニットを含む複数のキーユニットが配列された操作装置であって、
前記第１キーユニットは第１キートップと前記第１キートップから延びた第１ランナー部を含み、前記第２キーユニットは第２キートップと前記第２キートップから延びた第２ランナー部を含み、
前記第１ランナー部の端部を支持する第１支持部と、前記第２ランナー部の端部を支持する第２支持部とが、前記第１キートップと前記第２キートップの間に設けられており、
前記第１支持部と前記第２支持部とは共通化されている、もしくは、前記第１支持部は前記第２キートップと前記第２支持部の間に位置し且つ前記第２支持部は前記第１キートップと前記第１支持部の間に位置していることを特徴とする操作装置。
【請求項２】
前記第１キートップに所定以上の押圧が与えられたときに、前記第２支持部によって前記第１ランナー部の変形が制限されることを特徴とする、請求項１に記載の操作装置。
【請求項３】
前記第１支持部が前記第２支持部に当たることによって前記変形が制限されることを特徴とする、請求項２に記載の操作装置。
【請求項４】
前記第１ランナー部には開口が設けられており、前記第２支持部の少なくとも一部は前記開口に挿入されており、前記開口の内面と前記第２支持部の外面とが当たることで前記変形が制限されることを特徴とする、請求項２に記載の操作装置。
【請求項５】
前記複数のキーユニットを支持する底板と、前記底板の対向面に位置し前記複数のキーユニットを覆う蓋板と、を更に有し、
前記第１支持部は前記底板の上を移動可能であり、前記第２支持部は前記蓋板もしくは前記底板に対して固定されていることを特徴とする、請求項３または４に記載の操作装置。
【請求項６】
前記複数のキーユニットを支持する底板と、前記底板の対向面に位置し前記複数のキーユニットを覆う蓋板と、を更に有し、
前記第１支持部および前記第２支持部は、前記蓋板もしくは前記底板に対して固定されていることを特徴とする、請求項３または４に記載の操作装置。
【請求項７】
前記複数のキーユニットを支持する底板と、前記底板の対向面に位置し前記複数のキーユニットを覆う蓋板と、を更に有し、
前記第１支持部および前記第２支持部は、前記底板の上を移動可能であることを特徴とする、請求項３または４に記載の操作装置。
【請求項８】
前記第２支持部は、前記蓋板もしくは前記底板に対して前記第２キーユニットの位置を決める位置決め基準であることを特徴とする、請求項５から７のいずれか１項に記載の操作装置。
【請求項９】
前記第１支持部には半球形部が設けられており、前記第１支持部は前記半球形部を介して前記底板に接することを特徴とする、請求項５から８のいずれか１項に記載の操作装置。
【請求項１０】
前記第１ランナー部の延びる方向において、前記第１ランナー部の長さは、前記第２ランナー部の長さよりも短いことを特徴とする、請求項５から９のいずれか１項に記載の操作装置。
【請求項１１】
前記第２支持部には、前記第１キートップの浮きを抑制する抑制部が設けられていることを特徴とする、請求項１から１０のいずれか１項に記載の操作装置。
【請求項１２】
請求項１から１１のいずれか１項に記載の操作装置を備えることを特徴とする電子機器。
【発明の詳細な説明】
【技術分野】
【０００１】
本発明は、電子機器の操作装置における入力キーの構造に関する。
【背景技術】
【０００２】
操作装置は複数のメカニカルキーを備えたものが一般的である。メカニカルキーはユーザの押下げに対して弾性力で元の位置に戻るようになっている。この弾性力を与える構造の一例が特許文献１に記載されている。特許文献１は、キートップ（ボタン）と両持ち型のランナーが一体で樹脂成型された構造体であって、ランナーのたわみを利用してキートップに対して弾性力を与えている。
【先行技術文献】
【特許文献】
【０００３】
【特許文献１】特開２００５−２０３１５２号公報
【発明の概要】
【発明が解決しようとする課題】
【０００４】
特許文献１では、複数のキートップが一列に並んでおり、並び方向は各キーのランナーが延びる方向と直交している。そのため、あるキートップとそれと隣り合うキートップの間にはランナーが存在しないので、キートップを高集積に並べることができる。
【０００５】
しかし、操作装置によっては、キートップを二次元に配列したい場合もある。その場合は、隣り合うキートップの間に互いのランナーを配置せざるをえない。互いのランナーの長さを合計した長さ以上の間隔が必要となって、高集積なキートップの配列が困難である。
【０００６】
本発明はこのような課題の認識に基づいてなされたものである。本発明の目的は、キートップの配置の集積度を向上させることができるキーユニット構造を備えた操作装置を提供することである。
【課題を解決するための手段】
【０００７】
隣り合う第１キーユニットと第２キーユニットを含む複数のキーユニットが配列された操作装置であって、前記第１キーユニットは第１キートップと前記第１キートップから延びた第１ランナー部を含み、前記第２キーユニットは第２キートップと前記第２キートップから延びた第２ランナー部を含み、前記第１ランナー部の端部を支持する第１支持部と、前記第２ランナー部の端部を支持する第２支持部とが、前記第１キートップと前記第２キートップの間に設けられており、前記第１支持部と前記第２支持部とは共通化されている、もしくは、前記第１支持部は前記第２キートップと前記第２支持部の間に位置し且つ前記第２支持部は前記第１キートップと前記第１支持部の間に位置していることを特徴とする。
【発明の効果】
【０００８】
本発明によれば、ランナー部とその端部を支持する支持部の配置の工夫により、隣り合うキートップ同士を近づけることができる。そのため、キートップの配置の集積度を向上させることができ、操作装置の小型化が実現する。
【図面の簡単な説明】
【０００９】
【図１】プリント装置の全体図。
【図２】操作部の構造を示す図（組立図と分解図）。
【図３】キーユニットの構造を示す図。
【図４】支持部の構造を示す図。
【図５】支持部の動作を示す図。
【図６】キーユニットの変形例を示す図。
【図７】キーユニットの別の変形例を示す図。
【図８】キーユニットのさらに別の変形例を示す図。
【発明を実施するための形態】
【００１０】
本発明の実施形態として、操作部（操作装置）を備えたプリント装置について説明する。なお、本発明はプリント装置に限らず操作装置を備えた種々の電子機器に適用可能である。
【００１１】
図１はプリント装置の全体の外観を示す全体図である。プリント装置１００は、上段の画像読取ユニット（フラットベッドスキャナ）と下段のプリントユニットが一体となって複合された画像形成装置である。プリント装置１００の外部には、原稿を押える圧板１０１、プリント装置内部にアクセスするためにユーザが開け閉めできるカバー１０２が備えられている。また、点線で囲まれた領域が操作部１０５である。操作部１０５には、操作画面１１０および各種キー（押しボタンスイッチ）のキートップ１１２、１１３、１１４、１１５、１１６、１１７が備えられている。ユーザが操作画面１１０の指示に従ってキートップ１１２〜１１７を適宜押圧することによって、プリント装置が作動する。キートップの種類は、無線接続キー、メニューキー、リセットキー、モノクロコピーキー、カラーコピーキーなどがある。操作部１０５の外部は操作部カバー１０３で覆われている。操作部カバー１０３には、操作画面１１０や各種キーのキートップ１１２〜１１７を露出させる穴が設けられている。操作部カバー１０３は、側面カバー１０４に固定されている。
【００１２】
図２を用いて、操作部１０５の構造について説明する。図２は各種キーのうち、隣り合うキートップ１１５、１１６、１１７周辺を模式化した図である。図２（ａ）は、組み立てられた状態の操作部１０５を示す。キートップ１１５、１１６、１１７は、操作部カバー１０３の穴１９、２０、２１を通じて外部に露出する。
【００１３】
図２（ｂ）は、分解された状態の操作部１０５を示す。操作部カバー１０３の下には、蓋板１、キーユニット２（第１キーユニット）、キーユニット３（第２キーユニット）、タクト型スイッチ４１、４２、４３、さらに底板４が配置されている。キーユニット２は、キートップ１１５、１１６と、キートップ１１５、１１６のそれぞれから両側に延びたランナー部と、ランナー部の端部を支持する支持部とで構成され、樹脂で一体に成形されている。同様に、キーユニット３は、キートップ１１７と、キートップ１１７から両側に延びたランナー部と、ランナー部の端部を支持する支持部とで構成され、樹脂で一体に成型されている。ランナー部とは、キートップと支持部を連結する部位を指し、形状は問わない。したがって、ランナー部の形状は、線状、円、又は開口を有する形状などでも構わない。
【００１４】
キーユニット２、３の詳細な構成については後述する。このように、キートップの両側からランナー部が延びて支持する両持ち型のキー構造となっている。
【００１５】
キートップ１１５、１１６、１１７は、蓋板１の穴１５、１６、１７へ挿入され、操作部カバー１０３の穴１８、１９、２０から外部に露出する。キーユニット２には、ボス部２０１ａ、２０１ｂ、２０１ｃが設けられている。ボス部２０１ａ、２０１ｂ、２０１ｃが蓋板１に空けられた穴２００ａ、２００ｂ、２００ｃと勘合することによって、蓋板１に対してキーユニット２の位置が決まる。さらに、キーユニット２には矩形突起部２４ｂが設けられており、蓋板１の矩形穴２４ａに圧入される。このような圧入箇所を設けることで、キートップ１１６がユーザに押圧されたときに、一体で成型されたキートップ１１５が連動して動くことがない。一方、キーユニット３には、ボス部３０１ａ、３０１ｂ、３０１ｃが設けられている。ボス部３０１ａ、３０１ｂ、３０１ｃが蓋板１に空けられた穴３００ａ、３００ｂ、３００ｃと勘合することによって、蓋板１に対してキーユニット３の位置が決まる。
【００１６】
タクト型スイッチ４１、４２、４３（メカニカルスイッチ）はキートップ１１５、１１６、１１７の下に配置され、キートップ１１５〜１１７のいずれかがユーザに押圧されると対応するタクト型スイッチ４１〜４３が押圧される。タクト型スイッチ４１、４２、４３は、底板４に固定されている。
【００１７】
図２（ｃ）は、図２（ｂ）とは違う方向から操作部を見た場合の図である。蓋板１には、ネジを締め込むネジ穴１５０ａ、１５０ｂ、１５０ｃ、１５０ｄが設けられている。蓋板１の対向面に位置する底板４には、ネジ１５１ａ、１５１ｂ、１５１ｃ、１５１ｄを挿入するための穴が空いている。ネジ１５１ａ、１５１ｂ、１５１ｃ、１５１ｄは、底板４の穴を通過し、ネジ穴１５０ａ、１５０ｂ、１５０ｃ、１５０ｄへねじ込まれる。これによって、蓋板１と底板４が固定される。このとき、キーユニット２、３は、蓋板１と底板４に挟み込まれるため、蓋板１および底板４に対して確実に固定される。蓋板１と底板４の位置関係は、蓋板のボス部１５２、１５３が底板４の穴１５４、１５５に勘合することで決まる。なお、底板４は電子部品が搭載されている回路基板であってもよい。
【００１８】
図３を用いて、キーユニット２（第１キーユニット）およびキーユニット３（第２キーユニット）の構造について説明する。図３は、底板４の上にキーユニット２および３を載せた状態を示す。
【００１９】
キーユニット２には、キートップ１１５、キートップ１１６（第１キートップ）が設けられている。キートップ１１５の両側からは２つのランナー部２０２、２０３が延びている。ランナー部２０２、２０３の端部には、ランナー部２０２、２０３を両持ちで支持するための支持部４００、４０１（点線で囲まれた領域）が設けられている。支持部４００、４０１は、蓋板１および底板４に挟まれて確実に固定されている。
【００２０】
キートップ１１５が押圧されるとランナー部２０２、２０３が弾性変形し、キートップ１１５に弾性力が与えられる。同様に、キートップ１１６の両端にはランナー部２０４およびランナー部２０５（第１ランナー部）が延びている。さらに、ランナー部２０４、２０５の端部には、ランナー部２０４、２０５を支持するための支持部４００、４０２が設けられている。支持部４００は、蓋板１および底板４に挟まれて確実に固定されている。支持部４００を通じてキートップ１１５および１１６は一体となっているが、前述したように、矩形突起部２４ｂが矩形穴２４ａに圧入されているため、キートップ１１６を押圧してもキートップ１１５が連動して動くおそれがない。支持部４０２の構成については後述する。
【００２１】
キートップ１１６が押圧されると、ランナー部２０４、２０５が弾性変形し、キートップ１１６に弾性力が与えられる。一方、キーユニット３には、キートップ１１７（第２キートップ）が設けられている。キートップ１１７の両端にはランナー部３０２（第２ランナー部）、ランナー部３０３が延びている。さらに、ランナー部３０２、３０３の端部には、ランナー部３０２、３０３を支持するための支持部４０２、４０３が設けられている。支持部４０３は蓋板１および底板４に挟まれて確実に固定されている。キートップ１１７が押圧されると、ランナー部３０２、３０３が弾性変形し、キートップ１１７に弾性力が与えられる。
【００２２】
図４を用いて、支持部４０２の構造について説明する。図４（ａ）は、斜め下方からキーユニット２およびキーユニット３を見た斜視図である。図４（ｂ）は、支持部４０２周辺をさらに拡大したもので、図３の一点鎖線での断面をＡ方向から見た断面図である。
【００２３】
支持部４０２は、キーユニット２のランナー部２０５の端部を支持する可動部４０２ａ（第１支持部）と、キーユニット３のランナー部３０２の端部を支持する固定部４０２ｂ（第２支持部）との２つの部位から構成される。キートップ１１６の押圧方向から見て、可動部４０２ａと固定部４０２ｂは重なり合って配置されている。このように、押圧方向から見て支持部が重なり合っている状態を、支持部が共通化されていると表現する。特許請求の範囲において共通化と記載した場合の解釈も同様とする。
【００２４】
可動部４０２ａは、キーユニット２のランナー部２０５の端部と連結している。可動部４０２ａは、蓋板１や底板４に対して固定されず、底板４の上を移動可能である。移動の際には、可動部４０２ａの半球形部２０６ａ、２０６ｂを介して底板４と接するため摩擦抵抗が少なく、スムーズな移動が実現できる。半球形部の形状は必ずしも真球形状でなくてよく、球に近い形状であればよい。
【００２５】
固定部４０２ｂは、キーユニット３のランナー部３０２の端部と連結している。また、固定部４０２ｂに設けられたボス部３０１ａ、３０１ｂが、蓋板１の穴３００ａ、３００ｂと勘合し、蓋板１に対してキーユニット３の位置が決める。したがって、蓋板１に対する固定部４０２ｂの位置は、量産品においてバラツキが少ない。さらに固定部４０２ｂは、蓋板１と底板４に挟まれるので、蓋板１および底板４に対して確実に固定される。可動部４０２ａと固定部４０２ｂの位置関係は、可動部４０２ａが固定部４０２ｂの切り欠かれた溝部に入り込むように配置される。このとき、可動部４０２ａと固定部４０２ｂの間には隙間があり、キートップ１１６が所定以上に押圧されない限り基本的には当接することはない。
【００２６】
図４（ｂ）において、可動部４０２ａには、側面２０７、上面２１０が設けられている。固定部４０２ｂの溝部には、側面２０８や上面２０９（制限部）が設けられている。
【００２７】
図５を用いて、キートップが押された際の可動部４０２ａの動きについて説明する。キートップ１１６がＺ方向に押圧される前の状態を図５（ａ）に示し、押圧された後の状態を図５（ｂ）に示す。
【００２８】
キートップ１１６がＺ方向へ押圧されると、ランナー部２０４および２０５が弾性変形する。このとき、ランナー部２０５は弾性変形しながら、図５（ｂ）中のＣＷ方向へ回転する。回転とともに半球形部２０６ａ、２０６ｂが底板４と接しながら滑ることによって、可動部４０２ａがＹ方向へ移動する。一定の位置まで移動すると、可動部４０２ａの側面２０７と、固定部４０２ｂの側面２０８とが当たり、可動部４０２ａの移動が制限される。可動部４０２ａの移動が制限されることによって、ランナー部２０５の変形も制限され、キートップ１１６はそれ以上押圧できなくなる。
【００２９】
以上の実施形態によれば、隣り合うキーユニット２、３の間に配置された支持部４０２ａ、４０２ｂを共通化できる。そのため、キートップ１１６、１１７の距離を縮めることができ、高集積なキートップ配置が可能となる。
【００３０】
また、可動部４０２ａが蓋板１や底板４に対して固定されていないため、ランナー部２０５が変形しやすい。そのため、固定部４０２ｂと連結したランナー部３０２と比べ、可動部４０２ａと連結したランナー部２０５の長さを短くすることができる。これによって、更に高集積なキートップ配列が可能となる。
【００３１】
また、可動部４０２ａは、一定の位置に達すると移動が制限されるため、所定以上にユーザがキートップ１１６を押圧した場合であっても、ランナー部２０５が折れる可能性が低い。長期間の使用によるランナー部２０５の変形も軽減できる。
【００３２】
さらに、一定の位置でランナー部２０５の変形を制限できれば、ランナー部２０５の折れ等を懸念して必要以上にランナー部２０５を太くすることもない。そのため、ランナー部２０５を従来よりも細くすることができる。細くすることでランナー部２０５は変形しやすくなるため、さらに短くすることが可能となる。これによって、より高集積なキートップ配置が可能となる。
【００３３】
加えて、蓋板１に対するキーユニット３の位置決め基準を支持部４０２ｂとすることで、蓋板１に対して支持部４０２ｂが高精度に位置決めできる。そのため、支持部４０２ａの移動を制限する支持部４０２ｂについて、位置のバラツキを減らすことができる。
【００３４】
なお、可動部４０２ａは固定されていないため、自重で底板４に接している。したがって、品質によっては、底板４から半球形部２０６ａ、２０６ｂが浮いてしまうことがある。これによって、装置外部に露出したキートップ１１６が浮いてしまい、操作部１０５の美観が損なわれるおそれがある。しかし本実施形態においては、可動部４０２ａが浮いたとしても、可動部４０２ａの上面２１０が固定部４０２ｂの上面２０９（抑制部）に当たって浮きを抑制する。これによって操作部１０５の美観を維持することができる。なお、ユーザがキートップ１１６を押圧すると、上面２０９と上面２１０は離れ、半球形部２０６ａ、２０６ｂが底板に接する。そのため、上面２０９と上面２１０の接触は、支持部４０２ａの移動と無関係であり、移動の妨げとはならない。
【００３５】
次に図６を用いて、キーユニットの変形例を示す。図６（ａ）は、底板４にキーユニット５００（第１キーユニット）、６００（第２キーユニット）を載せた状態を示す。キーユニット５００には、キートップ５０１（第１キートップ）と、キートップ５０１から延びているランナー部５０２（第１ランナー部）と、ランナー部５０２の端を支持する支持部５０３（第１支持部）が設けられている。また、ランナー部５０２は開口５０４を有する。一方でキーユニット６００には、キートップ６０１（第２キートップ）と、キートップ６０１から延びているランナー部６０２（第２ランナー部）と、ランナー部６０２の端を支持する支持部６０３（第２支持部）が設けられている。支持部６０３は蓋板１と底板４に挟まれ、確実に固定される。支持部６０３の一部として円柱部６０４が設けられており、ランナー部５０２の開口５０４に挿入されている。キートップ５０１が押圧されていないときは、円柱部６０４と開口５０４との間には隙間がある。一方で、キートップ５０１が所定以上に押圧されると、開口５０４の内面と円柱部６０４の外面とが接触し、ランナー部５０２の変形を制限する。詳細は後述する。
【００３６】
図６（ｂ）は、図６（ａ）の一点鎖線での断面をＢ方向から見た場合の図である。支持部５０３には、底板４と接触する球形状部６０５ａ、６０５ｂが設けられている。ここで、キートップ５０１がＺ方向へ押圧されると、ランナー部５０２が弾性変形する。このとき、ランナー部５０２は弾性変形しながら、図６（ｂ）中のＣＷ方向へ回転する。回転とともに球形状部６０５ａ、６０５ｂが底板４に接しながら、支持部５０３がＹ方向へ移動する。一定の位置まで移動すると、開口５０４の内面と円柱部６０４の外面とが当たり、ランナー部５０２の変形が制限される。
【００３７】
図６の例によれば、キーユニット６００の支持部６０３が、キーユニット５００のキートップ５０１と支持部５０３の間に配置されている。そのため高集積なキートップ配置が可能となる。また、ランナー部５０２が、所定の変形量に達すると変形が制限されるため、所定以上にユーザが押圧した場合であっても、ランナー部５０２が折れる可能性が低い。したがって、長期間の使用によるランナー部５０２の変形も軽減できる。
【００３８】
次に図７を用いて、キーユニットの別の変形例を示す。これまで例示した隣り合うキーユニットの支持部は、一方が固定部で他方が可動部であった。本例では隣り合うキーユニットの支持部が、どちらも固定部の場合を示す。
【００３９】
図７（ａ）は、底板４にキーユニット７００（第１キーユニット）、７５０（第２キーユニット）を載せた状態を示す。キーユニット７００には、キートップ７０１（第１キートップ）と、キートップ７０１から延びているランナー部７０２（第１ランナー部）と、ランナー部７０２の端を支持する支持部７０３（第１支持部）が設けられている。ランナー部７０２には開口７０４が設けられており、キーユニット７５０の支持部７５３（第２支持部）が挿入される。このとき、開口７０４と支持部７５３には隙間があり、互いに接触しないように配置される。キーユニット７５０には、キートップ７５１（第２キートップ）と、キートップ７５１から延びているランナー部７５２（第２ランナー部）と、ランナー部７５２の端を支持する支持部７５３（第２支持部）が設けられている。ランナー部７５２には開口７５４が設けられ、キーユニット７００の支持部７０３が挿入される。このとき、開口７５４と支持部７０３には隙間があり、互いに接触しないように配置される。なお、支持部７０３および７５３は、蓋板１と底板４に挟まれ確実に固定される。
【００４０】
図７（ｂ）は、図７（ａ）の一点鎖線での断面をＣ方向から見た場合の図である。キートップ７０１がＺ方向へ押圧されると、ランナー部７０２が図７（ｂ）中の点線部のように弾性変形する。一定の変形量に達すると、ランナー部７０２に設けられた開口７０４の内面が、支持部７５３の外面に当たってランナー部７０２の変形が制限される。同様に、キートップ７５１が押圧されると、ランナー部７５２が弾性変形する。そして、開口７５４の内面が支持部７０３の外面に当たってランナー部７５２の変形が制限される。
【００４１】
図７の例によれば、キーユニット７００の支持部７０３が、キーユニット７５０のキートップ７５１と支持部７５３の間に位置する。さらに、キーユニット７５０の支持部７５３が、キーユニット７００のキートップ７０１と支持部７０３の間に位置する。このように、一方の支持部が他方のキートップと支持部の間に位置することで、キーユニットの距離を縮めることができる。よって、高集積なキートップ配置が可能となる。また、ランナー部７０２、７５２は一定の変形量に達すると変形が抑制されるため、ランナー部７０２、７５２が折れる可能性が低い。したがって、長期間の使用によるランナー部７０２、７５２の変形も軽減できる。
【００４２】
次に図８を用いて、キーユニットのさらに別の変形例を示す。本例は、隣り合うキーユニットの支持部が、どちらも可動部の場合を示す。キートップ８０１（第１キートップ）がＺ方向へ押圧されると、ランナー部８０２（第１ランナー部）が変形し、支持部８０３（第１支持部）がＹ方向へ移動する。そして、一定の位置まで移動すると、支持部８０３が支持部８５３（第２支持部）に当たって移動が制限される。同様に、キートップ８５１（第２キートップ）が押圧されると、ランナー部８５２（第２ランナー部）が変形し、支持部８５３（第２支持部）がＹ方向と逆方向へ移動する。そして、一定の位置まで移動すると、支持部８５３が支持部８０３に当たって移動が制限される。
【００４３】
図８の例によれば、隣り合うユニット間の支持部をどちらも可動部とすることで、ランナー部８０２、８５２をより短くすることができる。これによって、キーユニットの距離を縮めることができ、高集積なキートップ配置が可能となる。
【００４４】
これまで説明してきた各形態によれば、隣り合うキーユニットの間に配置された支持部の組み合わせは、固定部・可動部問わず適用できる。これによって、操作部におけるキーユニット配置の自由度がより高まり、高集積なキートップ配置が容易になる。
【００４５】
なお、隣り合うキーユニットは互いに形状が異なるもの（キーユニット２、３など）を例に説明してきたが、同一形状のものを複数用いてもよい。たとえば、可動部および固定部のどちらも備えている形状のキーユニットを一種類だけ用意し、可動部と固定部を重ね合わせながら複数個配列してもよい。さらに、これまで蓋板に対してキーユニットの位置を決める例を示してきたが、これに限定されない。たとえば、底板に対してキーユニットの位置を決めてもよい。
【符号の説明】
【００４６】
２  キーユニット（第１キーユニットに相当）
３  キーユニット（第２キーユニットに相当）
１１６  キートップ（第１キートップに相当）
１１７  キートップ（第２キートップに相当）
２０５  ランナー部（第１ランナー部に相当）
３０２  ランナー部（第２ランナー部に相当）
４０２ａ  可動部（第１支持部に相当）
４０２ｂ  固定部（第２支持部に相当）
【図１】
2015022904.tif 000003
【図２】
2015022904.tif 000004
【図３】
2015022904.tif 000005
【図４】
2015022904.tif 000006
【図５】
2015022904.tif 000007
【図６】
2015022904.tif 000008
【図７】
2015022904.tif 000009
【図８】
2015022904.tif 000010